(57)【要約】【課題】  コストアップを抑えて、シートをより軽く速やかに開放し、便座の後方からの介助スペースを確保可能にするとともに、便座や座板を容易に清掃することができるようにする。【解決手段】  開口部が形成された座板２１および座板２１の周囲に垂設された周壁２２を有する座部２と、座板２１に回動自在に軸支された便座３と、便座３を覆って座板２１に載置されたシート４と、座部２にそれぞれ設けられた肘掛け５および背当て６と、からポータブルトイレ１が構成される。そして、シート４の後面に軸受金具を介して先端部を回転自在に軸支したリンク７の基端部が背当て６の框６２の下部に回転自在に軸支され、また、背当て６の框６２にシート４の支持金具８が設けられている。このため、シート４を持ち上げると、シート４が背当て６と座板２１との空間を経て支持金具８に支持される。【選択図】  図２
2005095526.tif 000002
【特許請求の範囲】
【請求項１】
開口部が形成された座板および座板の周囲に垂設された周壁を有する座部と、座板に回動自在に軸支された便座と、便座を覆って座板に載置されたシートと、座部にそれぞれ設けられた肘掛けおよび背当てと、からなるポータブルトイレにおいて、シートの後部を軸支したリンクの基端部が後壁近傍部材に回転自在に軸支され、また、シートの支持金具が後壁近傍部材に設けられてなり、シートが背当てと座板との空間を経て支持金具に支持可能とされることを特徴とするポータブルトイレのシート取付構造。
【請求項２】
前記支持金具が着脱自在に設けられていることを特徴とする請求項１記載のポータブルトイレのシート取付構造。
【請求項３】
前記シートは前側シートと後側シートとが折り畳み可能に連設して構成されていることを特徴とする請求項１又は２記載のポータブルトイレのシート取付構造。
【発明の詳細な説明】
【技術分野】
【０００１】
本発明は、ポータブルトイレのシート取付構造に関するものである。
【背景技術】
【０００２】
一般に、トイレ室での用便が困難な場合には、ポータブルトイレが使用される。このようなポータブルトイレ１００は、図５に示すように、開口部（図示せず）が形成された座板１０１と、座板１０１の四隅に設けられた支持脚１０２と、座板１０１に回動自在に軸支された便座１０３と、座板１０１に設けられた肘掛け１０４および背当て１０５とから構成されている。そして、座板１０１の開口部を通して汚物ポット（図示せず）が挿入支持され、また、便座１０３が、座板１０１の開口部とともに、座板１０１に設けられたシート１０６によって覆われている（例えば、特許文献１参照）。
【特許文献１】実用新案登録第２５４７４７９号公報
【発明の開示】
【発明が解決しようとする課題】
【０００３】
ところで、前述したポータブルトイレ１のシート１０６は、座板１０１の前後方向後端寄りに一端を回動自在に軸支したコ字状のリンク１０７の他端に軸受金具を介して回転自在に軸支されており、シート１０６を持ち上げるとともに、後方に向けて押し出すことにより、シート１０６を背当て１０５と座板１０１との空間を経て移動させ、便座１０３を露出させるようにしている。この際、シート１０６は、リンク１０７に規制されて、背当て１０６と座板１０１との空間を閉鎖するように、ほぼ垂直な姿勢となっている。
【０００４】
このため、次のような問題がある。
【０００５】
座板１０１にリンク１０７の一端を回転自在に支持するために、座板１０１に段差を形成する必要がある。したがって、便座１０３を座板１０１に直接載置することができず、便座１０３を載置するための便座取付板を別途設ける必要がある。また、シート１０６が便座１０３を閉鎖する位置にあるとき、リンク１０７およびシート１０６の裏面に設けた軸受金具が便座１０３と接触して便座１０３を損傷したり、シート１０６が便座１０３を開放する位置にあるとき、リンク１０７が座板１０１と接触して座板１０１を損傷したりするおそれがある。このため、シート１０６の裏面にリンク１０７および軸受金具を収容する凹部を形成し、座板１０１にクッション材を配置する必要があり、コストがかさむものとなる。
【０００６】
便座１０３が露出するようにシート１０６を移動させた場合、シート１０６は、背当て１０５と座板１０１との空間を閉鎖することから、使用者を後方から介助する必要が生じたとしても、介助者の手を差し入れる隙間がなく、後方からの介助ができないものとなる。
【０００７】
シート１０６を便座１０３が露出する位置に移動させる際、図６に示すように、シート１０６を持ち上げただけでは重心がリンク１０７の回転中心を越えないため、さらにシート１０６を後方に向けて押し出す必要があり、使用時に速やかに開放し難いという欠点がある。
【０００８】
便座１０３や座板１０１が汚れた場合、座板１０１の上面にリンク１０７が配置された状態となっているため、リンク１０７が邪魔となって清掃を行いにくいほか、リンク１０
７を跳ね上げて清掃しなければならず、作業が煩雑となる。
【０００９】
本発明は、このような問題点に鑑みてなされたものであり、コストアップを抑えて、シートを速やかに開放するとともに、便座や座板を容易に清掃することのできるポータブルトイレのシート取付構造を提供するものである。
【課題を解決するための手段】
【００１０】
本発明は、開口部が形成された座板および座板の周囲に垂設された周壁を有する座部と、座板に回動自在に軸支された便座と、便座を覆って座板に載置されたシートと、座部にそれぞれ設けられた肘掛けおよび背当てと、からなるポータブルトイレにおいて、シートの後部を軸支したリンクの基端部が後壁近傍部材に回転自在に軸支され、また、後壁近傍部材にシートの支持金具が設けられてなり、シートが背当てと座板との空間を経て支持金具に支持可能とされることを特徴とするものである。
【００１１】
本発明によれば、基端部が後壁近傍部材に回転自在に軸支されたリンクがシートの後面を回転自在に軸支していることから、シートが便座を露出する開放位置あるいは便座を覆う閉鎖位置のいずれの位置にあっても、リンクは座板の上面に位置することがなく、リンクによる便座や座板の損傷を防止する手当てが不要となるとともに、座板の上面に便座を直接載置することができ、コストアップを抑えることができ、また、便座や座板を清掃する際、リンクに煩わされることなく作業を行うことができる。さらに、シートを持ち上げることにより、リンクがその基端部側回転中心回りに後方に回転し、その際、シートを背当てと座板の空間を通して引き出すことができるので、シートは、速やかに便座を露出する位置へと移動した後、支持金具に支持されてそれ以上の倒れが防止される。
【００１２】
ここで、リンクの基端部の軸支位置である後壁近傍部材としては、座部の周壁を形成する後壁に限らず、後壁近傍に位置する部材、例えば、背当ての框などを利用することができる。
【００１３】
本発明において、支持金具が着脱自在に設けられていると、支持金具をポータブルトイレから取り外した場合、シートは、背当てと座板との空間を閉鎖することなくポータブルトイレの後側へ倒れ込む。したがって、背当てと座板との間の空間を確保することができ、使用者を後方から介助する必要が生じた場合に、背当てと座板との間の空間を通して介助者の手を差し入れ、介助することができる。
【００１４】
また、本発明において、シートは前側シートと後側シートとが折り畳み可能に連設して構成されていてもよく、このように構成されることで前側シートと後側シートとを折り畳んだ状態で便座を露出させることが可能となる。したがって、開放位置にあるときのシートがコンパクトになるとともに、背当てと座板の空間を通してシートを引き出すことが容易になって、シートの開閉を速やかに行うことができる。
【発明の効果】
【００１５】
以上のように本発明によれば、コストアップを抑えて、シートをより軽く速やかに開放し、便座の後方からの介助スペースを確保することができるとともに、便座や座板を容易に清掃することができる。
【発明を実施するための最良の形態】
【００１６】
以下、本発明を実施するための最良の形態について図面を参照しつつ説明する。
【００１７】
図１および図２には、本発明のシート取付構造を有するポータブルトイレ１の一実施形態が示されている。
【００１８】
このポータブルトイレ１は、開口部（図示せず）が形成された座板２１および座板２１の周縁に垂設された周壁２２を有する座部２と、座板２１の後端にヒンジ金具ｋ１を介して回動自在に軸支された便座３と、便座３を覆って座板２１に載置されたシート４と、座部２の周壁２２にそれぞれ設けられた肘掛け５および背当て６と、からなり、木材によって家具調に形成されている。
【００１９】
そして、背当て６には、先端部が軸受金具ｋ２を介してシート４の後面に回転自在に軸支されたコ字状のリンク７の基端部が回転自在に軸支されている。具体的には、背当て６における左右の框６２の内面側下部に取付穴６２ａが形成されており、これらの取付穴６２ａにリンク７の基端側両端部が着脱自在に差し込まれている。また、背当て６における左右の框６２の外面側にも、座板２１の上面近傍の高さ位置において、取付穴６２ｂが形成されており、これらの取付穴６２ｂにコ字状の支持金具８の基端側両端部が着脱自在に差し込まれている。
【００２０】
ここで、シート４の幅は、背当て６における框６２の内面間隔よりも小さく設定されており、座板２１と、背当て６における笠木６１および左右の框６２によって形成される空間を通してシート４を出し入れすることができる。
【００２１】
なお、周壁２２を構成する左右の側壁２２１には、支持脚２３が高さを調整自在に設けられている。
【００２２】
また、座板２１の開口部の周縁には、図示しない汚物ポットが支持されている。
【００２３】
次に、このように構成されたポータブルトイレ１の使用要領について説明する。
【００２４】
まず、図１に示すように、シート４は、座板２１の上面に載置されて便座３を覆っており、椅子として使用可能となっている。
【００２５】
トイレとして使用する場合、使用者は、シート４の前端を把握して上方に持ち上げると、リンク７の基端部が背当て６の框６２に形成された取付穴６２ａ回りに後方に向けて回動する。この際、図３に示すように、後方に向けて回動するリンク７に連結されているシート４が、背当て６と座板２１との空間を経て後方に引き出されることから、シート４を持ち上げるだけのワンモーションによって便座３を露出する開放位置に速やかに移動させることができる。そして、背当て６と座板２１との空間を経て後方に引き出されたシート４は、支持金具８によって支持されて、それ以上の倒れが防止される。
【００２６】
使用が終了すれば、シート４の前端を把握して前方に引き込み、便座３を覆う閉鎖位置に移動させることができる。
【００２７】
また、使用によって便座３や座板２１が汚れて清掃する場合は、座板２１の上面にリンク７が存在しないことから、リンク７に煩わされることなく容易に清掃することができる他、リンク７自体が汚れて錆などが生じるおそれもない。さらに、リンク７によって便座３や座板２１が損傷することもないことから、各別に損傷防止対策を施す必要がなく、また、座板２１の上面に便座３を直接載置することができ、コストアップを抑えることができる。
【００２８】
一方、使用者を後方から介助する必要が生じた場合は、支持金具８を強制的に湾曲させてそれらの取付穴６２ｂから取り外すことにより、シート４は、支えを失って床面に倒れ込むことから（図３鎖線位置参照）、背当て６と座板２１との空間を開放することができ
る。したがって、背当て６と座板２１との空間を通して介助者の手を差し入れることができ、使用者を後方から介助することが可能となる。
【００２９】
次に、本発明に係るシート構造を有するポータブルトイレ１の他の実施形態について図４を参照しつつ説明する。なお、このポータブルトイレ１は、シート４が折り畳み可能に形成されている点に特徴を有するので、以下の説明において、前記の形態と同様の構成に係る部分については同符号を用いて詳細な説明を省略する。また、図４において周壁２２に設けられる肘掛けは記載を省略している。
【００３０】
例示の形態において、シート４は、前側シート４１と後側シート４２とに分割されてなり、前側シート４１の後端縁と後側シート４２の前端縁とが屈曲しうるように折り畳み可能に連設して構成されている。これらの前側シート４１と後側シート４２とは、それぞれ内部にクッション材が充填され、表面を覆う表生地が互いに縫合されることで連設されても、また、両シート４１，４２の間にヒンジが介されて屈曲自在とされていてもよい。両シート４１，４２の下面側には、前側シート４１と後側シート４２とを着脱自在に固定する、例えば着脱テープ等の適宜の固定手段が備えられており、各シート４１，４２の下面を内側にして折り畳んだ状態で、両シート４１，４２が固定されうるように構成されている。
【００３１】
かかるシート４（前側シート４１および後側シート４２）の幅は、図１と同様に、背当て６における框６２の内面間隔よりも小さく設定されている。前側シート４１の前端部には、シート４を持ち上げて便座３を露出させるための把手４３が取り付けられている。
【００３２】
後側シート４２の後部下面側にはリンク７の先端部が取着されている。このリンク７は、その基端部が左右の框６２の内面側下部に軸支され、シート４を左右の框６２の各取付穴６２ａ回りに回転自在に軸支している。リンク７の先端部と、後側シート４２とは、側面視約９０°の角度をなすように固定されている。リンク７の基端側両端部は、各取付穴６２ａに着脱自在に係止されていても、軸着されていてもよい。
【００３３】
また、背当て６の框６２の外面側には、シート４の支持金具８が設けられている。例示の形態では、框６２の上方、背当て６寄りに取付穴６２ｂが形成されて支持金具８の基端側が差し込まれ、着脱自在および回動可能に取り付けられている。この支持金具８は、左右の框６２同士に架設しうるように両框６２の外面間隔よりやや大きいコ字状に形成されても、あるいは、左右いずれか一方の框６２に取着してシート４の片側部を支持しうる正面視Ｌ字状に形成されてもよい。
【００３４】
さらに、ポータブルトイレ１には、後方の支持脚２３にキャスタ２３１が設けられて、ポータブルトイレ１を容易に移動させることができるようになっている。また、周壁２２の後壁側には、収納部２２２が形成されて、小物等を収納できるようになっている。
【００３５】
このように構成されるポータブルトイレ１をトイレとして使用する場合、使用者は把手４３を把持してシート４を上方に持ち上げ、前側シート４１と後側シート４２とを折り畳みつつ、座板２１と背当て６および左右の框６２によって形成された空間を通して、座板２１の後方へシート４を移動させ、便座３を露出させる。このとき、シート４は、リンク７が框６２の取付穴６２ａ回りに回転し、背当て６の下方において支持部材８に支持され、それ以上の倒れが防止される。
【００３６】
また、使用者を後方から介助する場合などは、支持部材８を框６２の取付穴６２ｂ回りに上方へ回動させて支持部材８によるシート４の支持を解除し、シート４を折り畳んだ状態のまま、さらに後方へ回転させる。これにより、図中鎖線にて示すように、シート４は
後壁側下部に引き落とされて、収納部２２２の上部に係止して固定される。この結果、座板２１と背当て６および左右の框６２との間に介助者の手を差し入れるのに十分な空間が形成され、使用者を後方から介助することが可能となる。
【００３７】
トイレとしての使用が終了すれば、シート４を把手４３を把持して前方に引き込み、便座３を覆う閉鎖位置に移動させればよい。
【００３８】
かかる構成のポータブルトイレ１においては、シート４を折り畳んで開閉することができるため、シート４がコンパクトになるとともに、背当て６と座板２１との空間を経てシート４を後方へ速やかに引き込むことができる。加えて、便座３の表面に接するシート４の下面側が内側に折り畳まれて開閉されるので、使用者及び介助者は抵抗なく使用することができる。
【００３９】
なお、前述した２つの実施形態においては、リンク７の基端部および支持金具８の基端部をそれぞれ背当て６の框６２に形成した取付穴６２ａ，６２ｂにおいて回転自在に軸支した場合を例示したが、背当て６の框６２に限定するものではなく、周壁２２に直接あるいは金具を介して軸支してもよい。
【産業上の利用可能性】
【００４０】
以上説明したように、本発明のポータブルトイレのシート取付構造によれば、病室や、高齢者の寝室などで使用されるポータブルトイレに好適に用いることができる。
【図面の簡単な説明】
【００４１】
【図１】本発明のポータブルトイレのシート取付構造を示す斜視図である。
【図２】図１のポータブルトイレのシート取付構造において、シートを開放した状態を示す斜視図である。
【図３】図１のポータブルトイレのシート取付構造において、シートの移動軌跡を示す説明図である。
【図４】本発明のポータブルトイレのシート取付構造における他の実施形態を示す側面図である。
【図５】従来のポータブルトイレのシート取付構造を示す斜視図である。
【図６】図５のポータブルトイレのシート取付構造において、シートの移動軌跡を示す説明図である。
【符号の説明】
【００４２】
１  ポータブルトイレ
２  座部
２１  座板
２２  周壁
３  便座
４  シート
４１  前側シート
４２  後側シート
５  肘掛け
６  背当て
６１  笠木
６２  框
７  リンク
８  支持金具
【図１】
2005095526.tif 000003
【図２】
2005095526.tif 000004
【図３】
2005095526.tif 000005
【図４】
2005095526.tif 000006
【図５】
2005095526.tif 000007
【図６】
2005095526.tif 000008